(57)【要約】【課題】リミットスイッチを用いた低コストなキッチンユニットを提供する。【解決手段】このキッチンユニット８０は扉６４の検知手段として比較的安価で動作信頼性の高いリミットスイッチ５０を用い、さらにヒンジ部４０のアーム４０ｄでリミットスイッチ５０のアクチュエータ５０ａを押圧する。このため、アクチュエータ５０ａを押圧するための部材や扉６４に対する特別な加工が必要なくキッチンユニット８０の製造コストを低減することができる。【選択図】図１
2018121802.tif 000002
【特許請求の範囲】
【請求項１】
少なくとも電気加熱調理器具が設置される内枠体と、
前記内枠体の側面に所定の間隙を取って設けられる外枠体と、
前記内枠体の前面を閉塞する扉と、
前記扉を開閉するヒンジ部と前記ヒンジ部が移動するスライド部とを備え前記扉を前記内枠体と外枠体との間隙に収納するスライドヒンジ部材と、を有するキッチンユニットにおいて、
前記間隙の奥側にアクチュエータが位置するリミットスイッチと、
前記アクチュエータの押圧状態で前記電気加熱調理器具に通電する開閉手段と、をさらに備え、
前記扉が前記間隙に収納された時に前記ヒンジ部のアームが前記アクチュエータを押圧して前記開閉手段が閉動作することを特徴とするキッチンユニット。
【請求項２】
アームの背面が奥側への斜面で構成され、前記背面が前記アクチュエータを押圧することを特徴とする請求項１記載のキッチンユニット。
【請求項３】
ヒンジ部がインセット型のヒンジであることを特徴とする請求項２記載のキッチンユニット。
【発明の詳細な説明】
【技術分野】
【０００１】
本発明は、キッチンの前面を閉じる扉を備えたキッチンユニットに関するものである。
【背景技術】
【０００２】
一般的なキッチンは流し台や加熱調理器具、換気扇等を基本的な構成として有している。また、近年では加熱調理器具として、火を使用せずコイルによる誘導加熱により金属鍋を自己発熱させる電磁式の電気加熱調理器具が普及している。また、小規模オフィスやワンルームマンション、ホテルの客室等のキッチンとして、上記の設備をコンパクトに収容した小型のキッチンユニットも商品化されている。ただし、キッチン等の水回りが直接目視可能な位置にあることは外見上好ましいものではない。このため、特にキッチンスペースを個別に確保できない小規模オフィスやワンルームマンション等では、不使用時には扉を閉めてキッチンを隠すことが可能なキッチンユニットが求められている。しかしながら、加熱可能な状態の加熱調理器具を閉鎖空間に設けることは火災防止条例に反するという問題点がある。
【０００３】
この問題点に関し下記［特許文献１］には、加熱調理器具を電気式のものとし、キッチンの前面を閉塞する扉が扉収納部に完全に収納された時に電気加熱調理器具へ通電する安全装置を備えたキッチンユニットに関する考案が開示されている。この［特許文献１］に記載の考案によれば、扉が扉収納部に収納されている状態でのみ電気加熱調理器具の使用が可能となる。即ち、扉が閉じた閉鎖状態では電気加熱調理器具は動作せず、よって火災防止条例に抵触することもない。このため［特許文献１］に記載の考案はキッチンユニットを閉塞する扉の設置が可能となり、例えば来客時等には扉を閉めてキッチンユニットの内部を隠し室内の美観を向上させることができる。
【先行技術文献】
【特許文献】
【０００４】
【特許文献１】実用新案登録第３１６２２８４号公報
【発明の概要】
【発明が解決しようとする課題】
【０００５】
ここで、［特許文献１］に記載の考案の安全装置では、扉収納の検知手段として磁気近接スイッチを用いた例が示されている。しかしながら、磁気近接スイッチはセンサの周囲の金属の影響を受け易く、扉をスチール等の金属材料で構成できないという問題点がある。また、周囲の金属の影響を低減した磁気近接スイッチは高価でありキッチンユニットのコスト増を招くという問題点がある。また、検知手段として光スイッチを用いた構成では光スイッチ自体が高価な上、この光スイッチを動作させる電気回路が必要となり、これもキッチンユニットのコスト増を招くという問題点がある。さらに、検知手段として物理的なリミットスイッチを用いた構成では、扉側にリミットスイッチを押圧するための突起や加工が必要となり工程数が増加するなどして、これもコスト増を招くという問題点がある。
【０００６】
本発明は上記事情に鑑みてなされたものであり、リミットスイッチを用いた低コストなキッチンユニットを提供することを目的とする。
【課題を解決するための手段】
【０００７】
本発明は、
（１）少なくとも電気加熱調理器具１０が設置される内枠体３０と、前記内枠体３０の側面に所定の間隙６６を取って設けられる外枠体６２と、前記内枠体３０の前面を閉塞する扉６４と、前記扉６４を開閉するヒンジ部４０と前記ヒンジ部４０が移動するスライド部４２とを備え前記扉６４を前記内枠体３０と外枠体６２との間隙６６に収納するスライドヒンジ部材４５と、を有するキッチンユニットにおいて、
前記間隙６６の奥側にアクチュエータ５０ａが位置するリミットスイッチ５０と、前記アクチュエータ５０ａの押圧状態で前記電気加熱調理器具１０に通電する開閉手段５２と、をさらに備え、
前記扉６４が前記間隙６６に収納された時に前記ヒンジ部４０のアーム４０ｄが前記アクチュエータ５０ａを押圧して前記開閉手段５２が閉動作することを特徴とするキッチンユニット８０を提供することにより、上記課題を解決する。
（２）アーム４０ｄの背面が奥側への斜面で構成され、前記背面が前記アクチュエータ５０ａを押圧することを特徴とする上記（１）記載のキッチンユニット８０を提供することにより、上記課題を解決する。
（３）ヒンジ部４０がインセット型のヒンジであることを特徴とする上記（２）記載のキッチンユニット８０を提供することにより、上記課題を解決する。
【発明の効果】
【０００８】
本発明に係るキッチンユニットは扉の検知手段として比較的安価で動作信頼性の高いリミットスイッチを用い、さらにヒンジ部のアームでリミットスイッチのアクチュエータを押圧する。このため、アクチュエータを押圧するための部材や扉に対する特別な加工が必要なくキッチンユニットの製造コストを低減することができる。
【図面の簡単な説明】
【０００９】
【図１】本発明に係るキッチンユニットを示す図である。
【図２】本発明に係るキッチンユニットのスライドヒンジ部材を示す図である。
【図３】扉が閉じた状態の本発明に係るキッチンユニットを示す模式的な部分拡大図である。
【図４】扉が収納された状態の本発明に係るキッチンユニットを示す模式的な部分拡大図である。
【発明を実施するための形態】
【００１０】
本発明に係るキッチンユニット８０の実施の形態について図面に基づいて説明する。ここで、図１（ａ）は本発明に係るキッチンユニット８０の正面図であり、図１（ｂ）は斜視図である。また、図２（ａ）は本発明に係るキッチンユニット８０のスライドヒンジ部材４５の平面図であり、図２（ｂ）は側面図である。また、図３は扉６４が閉じた状態のキッチンユニット８０を示す模式的な部分拡大図であり、図４は扉６４が収納された状態を示す模式的な部分拡大図である。尚、ここでは扉６４が左右に１枚ずつ設けられた両開きのキッチンユニット８０を例に説明を行うが、本発明に係るキッチンユニット８０は片開きとしても良い。
【００１１】
本発明に係るキッチンユニット８０は、電気加熱調理器具１０が設置される内枠体３０と、この内枠体３０の側面に所定の間隙６６を取って設けられる外枠体６２と、内枠体３０の前面を閉塞する扉６４と、を有している。そして、内枠体３０は、例えば左右の側板３２と、換気設備１８等の排気口１６を備えた天板３４と、底板３６と、キッチン台３８と、を基本構成として有している。また、キッチン台３８には電気加熱調理器具１０に加え、例えば排水管が接続した流し台１２や給水管と接続した給水栓１４等が設置される。また、天板３４の下方には例えば上部収納スペース３７ａが設けられ、この上部収納スペース３７ａの下面の電気加熱調理器具１０の上方の位置に換気扇やレンジフード等の換気設備１８が設けられる。尚、換気設備１８の排気管は排気口１６を通して外部へ引き出される。また、キッチン台３８の下方には例えば下部収納スペース３７ｂが設けられ、この下部収納スペース３７ｂには流し台１２と接続した排水管と給水栓１４と接続した給水管が通り、外部の排水管及び給水管とそれぞれ接続する。また、下部収納スペース３７ｂの底板３６は一部開閉可能として、底板３６の下の空間には後述の開閉手段５２等の電気設備を収納することが好ましい。尚、内枠体３０内に設置される設備は上記の例に限定されるわけではなく、少なくとも電気加熱調理器具１０が設置されていれば如何なる構成としても良い。また、電気加熱調理器具１０としては主に電磁式加熱調理器具（所謂ＩＨクッキングヒータ）を想定しているが、電気コンロ等、電力により加熱調理を行う器具であれば特に限定は無い。
【００１２】
また、この内枠体３０の側面、即ち左右の側板３２の外側には、前述のように所定の間隙６６を取って外枠体６２が設けられる。そして、この内枠体３０の左右の側板３２と外枠体６２との間隙６６が左右の扉６４の収納部となる。また、扉６４はヒンジ部４０とスライド部４２とを備えたスライドヒンジ部材４５を介して外枠体６２に設置される。
【００１３】
ここで、スライドヒンジ部材４５に関して図２を用いて説明する。先ず、スライドヒンジ部材４５は、扉６４を開閉するヒンジ部４０と、扉６４をヒンジ部４０ごとスライド移動させるスライド部４２とを有している。尚、ここでは１つのスライダ４６に２つのヒンジ部４０を設けた例を示しているが、スライドヒンジ部材４５はヒンジ部４０とスライド部４２とを備えていれば特にこの構成に限定されるものではない。そして、ヒンジ部４０は、扉６４が固定するカップ部４０ｂと、回動機構を備えヒンジ部の本体として機能する本体部４０ａと、スライド部４２に固定するベース部４０ｃと、を有している。また、スライド部４２は、外枠体６２の内側に水平に固定されるスライドレール４４と、このスライドレール４４に沿って移動するスライダ４６とを有している。尚、スライドヒンジ部材４５は扉６４の上部、下部の２箇所以上に設置し、さらに双方のスライダ４６をシャフト等で連結して上下のスライダ４６を並走させることが好ましい。
【００１４】
そして、扉６４はスライドヒンジ部材４５のヒンジ部４０によって開閉動作するとともに、図３、図４に示すように、ヒンジ部４０及びスライダ４６とともにスライドレール４４に沿って移動し間隙６６内への出し入れが可能となる。尚、扉６４を間隙６６に収納可能とするためには、開状態における扉６４の外面がスライドレール４４よりも内側に位置しなければならない。よって、本発明に係るキッチンユニット８０のヒンジ部４０としては、カップ部４０ｂがベース部４０ｃよりも内側に位置するインセット型のヒンジか、半かぶせ型のヒンジを用いることが好ましく、中でも特にインセット型のヒンジを用いることが好ましい。そして、インセット型もしくは半かぶせ型のヒンジはカップ部４０ｂがベース部４０ｃの位置よりも内側に位置するため、これらのヒンジの一般的な本体部４０ａは内側に屈曲し立ち上がったアーム４０ｄを備えているものが多い。そして、このアーム４０ｄは一般的に背面が奥側に傾いた斜面で構成されるものが多い。
【００１５】
また、キッチンユニット８０の側板３２側には検知手段としてのリミットスイッチ５０が設置されるとともに、間隙６６の奥側の所定の位置にリミットスイッチ５０のアクチュエータ５０ａが設置される。尚、ここではリミットスイッチ５０として、アクチュエータ５０ａがローラレバーで構成され、このローラレバーの回動によって押圧を感知するリミットスイッチの例を示しているが、本発明はこれに限定されるわけではなく押圧により動作する周知のリミットスイッチを用いることができる。また、ここでのアクチュエータ５０ａの所定の位置とは、ヒンジ部４０の特にアーム４０ｄの移動経路上で、且つ扉６４が間隙６６に完全に収納された時にアーム４０ｄがアクチュエータ５０ａと当接し押圧する位置である。また、リミットスイッチ５０は左右いずれか一方の側板３２に設ければ良く、特に電気加熱調理器具１０側の側板３２に設けることが好ましい。また、リミットスイッチ５０は電気配線の取り回し等の観点から下側のスライドヒンジ部材４５の側に設けることが好ましい。
【００１６】
また、電気加熱調理器具１０と商用電源３とは電磁開閉器等の周知の開閉手段５２を介して接続し、この開閉手段５２はリミットスイッチ５０によって開閉動作する。尚、開閉手段５２と電気加熱調理器具１０とは周知のコンセントタップ５４を介して接続することが好ましい。この場合、図１（ａ）に示すように、下部収納スペース３７ｂの下の空間に開閉手段５２等を設けるとともに、コンセントタップ５４を下部収納スペース３７ｂ内に引き出して設置し、このコンセントタップ５４に電気加熱調理器具１０のプラグを差し込んで両者を接続することが好ましい。尚、キッチンユニット８０には開閉手段５２の動作状態をユーザに報知する通電ランプや、ヒューズ、漏電ブレーカ等を設けても良い。そして、これら開閉手段５２、リミットスイッチ５０、スライドヒンジ部材４５が本発明に係るキッチンユニット８０の安全装置を構成する。
【００１７】
次に、本発明に係るキッチンユニット８０の動作を説明する。先ず、扉６４が閉じ内枠体３０の前面を閉塞している図３の状態において、扉６４は間隙６６から引き出された状態にあり、スライダ４６及びヒンジ部４０はスライドレール４４の前端部分に位置する。このとき、ヒンジ部４０とアクチュエータ５０ａとは離間しており、アクチュエータ５０ａはフリーな状態にある。この場合、開閉手段５２は加熱調理器具１０と商用電源３との接続を開き、加熱調理器具１０への電力供給を遮断する。よって加熱調理器具１０が動作することはない。
【００１８】
次に、ユーザが扉６４を開けると、ヒンジ部４０の本体部４０ａが扉６４を開方向に回動させる。そして、扉６４が側板３２及び外枠体６２と平行な状態まで開いた時点でユーザが扉６４を間隙６６側に押し込む。これにより、スライダ４６がスライドレール４４上を滑り、扉６４がヒンジ部４０とともに間隙６６の奥側にスライド移動する。そして、ヒンジ部４０のアーム４０ｄの背面がアクチュエータ５０ａに当接する。この状態でさらにユーザが扉６４を押し込むと、図４に示すようにアーム４０ｄの背面がアクチュエータ５０ａを押圧するとともに、扉６４は完全な収納状態となる。そして、アクチュエータ５０ａが押圧状態になると、リミットスイッチ５０と接続した開閉手段５２が閉動作する。これにより加熱調理器具１０と商用電源３とが通電し、加熱調理器具１０に電力が供給される。そして、加熱調理器具１０の使用が可能となる。尚、前述のように一般的なインセット型もしくは半かぶせ型のヒンジ部４０はアーム４０ｄの背面が奥側に傾いた斜面で構成されるため、アクチュエータ５０ａに余計な負荷をかけることなく滑らかに押圧することができる。
【００１９】
このように、本発明に係るキッチンユニット８０は、扉６４が間隙６６内に完全に収納され、扉６４に固定したヒンジ部４０が間隙６６の奥側に設置されたリミットスイッチ５０（アクチュエータ５０ａ）を押圧した状態でのみ加熱調理器具１０に電力が供給される。このため、扉６４が完全な収納状態にないと加熱調理器具１０を使用することができない。即ち、扉６４が閉じた状態では加熱調理器具１０が使用できず、よってこのキッチンユニット８０が火災防止条例に抵触することはない。そして、ユーザは必要に応じて扉６４を閉じることでキッチンユニット８０の前面を閉塞しキッチンユニット８０の内部を隠すことができる。これにより、室内の美観を向上させることができる。
【００２０】
また、本発明に係るキッチンユニット８０は扉６４の検知手段として比較的安価で動作信頼性の高いリミットスイッチ５０を用い、さらにヒンジ部４０のアーム４０ｄでリミットスイッチ５０のアクチュエータ５０ａを押圧する。このため、アクチュエータ５０ａを押圧するための部材や扉６４に対する特別な加工が必要なくキッチンユニット８０の製造コストを低減することができる。
【００２１】
尚、本例で示したキッチンユニット８０、スライドヒンジ部材４５、リミットスイッチ５０等の各部の構成、デザイン、機構、動作等は一例であり上記の例に限定されるわけでは無く、本発明は本発明の要旨を逸脱しない範囲で変更して実施することが可能である。
【符号の説明】
【００２２】
１０    電気加熱調理器具
３０    内枠体
４０    ヒンジ部
４０ｄ  アーム
４２    スライド部
４５    スライドヒンジ部材
５０ａ  アクチュエータ
５０    リミットスイッチ
５２    開閉手段
６２    外枠体
６４    扉
６６    間隙
８０    キッチンユニット
【図１】
2018121802.tif 000003
【図２】
2018121802.tif 000004
【図３】
2018121802.tif 000005
【図４】
2018121802.tif 000006